(57)【要約】【解決手段】  弾性変形可能な形状記憶円板状光学要素（６６）を弾性変形させて、ＡＩＯＬに近くを視るための自然な正のジオプトリ強度を与えるための付勢機構（７９）を含んでいる調節式眼内レンズ（ＡＩＯＬ）。ＡＩＯＬは、ヒトの目（１０）の中に移植し、毛様体（１９）が弛緩すると、水晶体包隔膜が調節力を加えて付勢機構を抑え、遠くを視るためにＡＩＯＬの自然の正のジオプトリ強度を小さくするようになっている。【選択図】          図５
2008515585.tif 000002
【特許請求の範囲】
【請求項１】
調節式眼内レンズ（ＡＩＯＬ）において、
（ａ）前面、穴付き後面、及び少なくとも１つの弾性変形可能な形状記憶光学要素を有しているカップ型のケーシングと、
（ｂ）ベースプレートとアパーチャレンズを有している保持体であって、前記ケーシングに、前記ベースプレートが前記後面の横にくるように滑動的に取り付けられ、前記ベースプレートが前記後面に隣接する第１最端位置と、前記ベースプレートが前記第１最端位置に比べて前記後面から離れている第２最端位置との間で往復運動するようになっている、保持体と、
（ｃ）前記保持体を、前記ケーシングに対して、前記第２最端位置に向けて押し、前記少なくとも１つの形状記憶光学要素を変形させて、少なくとも部分的には前記穴を通して膨らませ、ＡＩＯＬに、近くを視るための自然の正のジオプトリ強度を与えるようにするための付勢機構と、を備えており、
前記保持体は、外部の力が前記押す方向と反対向きに前記ベースプレートに加わると、前記第１最端位置に動かされ、前記少なくとも１つの形状記憶光学要素は、その自然な形状に戻り、遠くを視るためにＡＩＯＬの自然な正のジオプトリ強度を小さくすることができる、ＡＩＯＬ。
【請求項２】
前記付勢機構は、前記後面と前記ベースプレートの間に配置されている、請求項１に記載のＡＩＯＬ。
【請求項３】
前記付勢機構は圧縮ばねである、請求項２に記載のＡＩＯＬ。
【請求項４】
前記アパーチャレンズは、基本的な視野補正のために、約＋１０から約＋３０の範囲のジオプトリ強度を有している、請求項１から３の何れかに記載のＡＩＯＬ。
【請求項５】
前記ベースプレートは環状である、請求項１から４の何れかに記載のＡＩＯＬ。
【請求項６】
前記アパーチャレンズは、前記前面の横にある、請求項１から５の何れかに記載のＡＩＯＬ。
【請求項７】
前記保持体は、前記ケーシングの外側に取り付けられている、請求項１から６の何れかに記載のＡＩＯＬ。
【請求項８】
前記少なくとも１つの形状記憶光学要素は、自然な円板様形状を有している、請求項１から７の何れかに記載のＡＩＯＬ。
【請求項９】
環状の毛様体溝と、収縮状態から弛緩すると水晶体包隔膜を前向きに押すための毛様体と、を有しているヒトの目の中に移植するための調節式眼内レンズ（ＡＩＯＬ）アッセンブリにおいて、
（ａ）前記ＡＩＯＬアッセンブリを、前記ヒトの目の毛様体溝内の、少なくとも２つの間隔を空けて配置されている静止錨着点に自己錨着させるためのハプティックシステムと、
（ｂ）前記毛様体が弛緩すると、前記ヒトの目の水晶体包隔膜が、前記外部の力を前記ベースプレートに後方から加える、請求項１から８の何れかに記載のＡＩＯＬと、を備えているＡＩＯＬアッセンブリ。
【請求項１０】
前記ハプティックシステムは、長手方向軸に沿う軸方向長さがＬ１である本体を有しており、前記ＡＩＯＬのケーシングは、長手方向軸に沿う軸方向長さがＬ２であり、Ｌ２＞Ｌ１で、前記本体が、前記ＡＩＯＬのケーシングを、前記本体の軸方向長さより長い調節ストロークに沿ってクランプできるようになっている、請求項９に記載のＡＩＯＬアッセンブリ。
【請求項１１】
前記ハプティックシステムは、塑性変形させることのできるハプティックを含んでいる、請求項９に記載のＡＩＯＬアッセンブリ。
【発明の詳細な説明】
【技術分野】
【０００１】
本発明は、調節式眼内レンズ（ＡＩＯＬ）と、それを含んでいるＡＩＯＬアッセンブリに関する。
【背景技術】
【０００２】
共同所有されているＰＣＴ国際出願ＰＣＴ／ＩＬ０２／００６９３号「調節式レンズアッセンブリ」と、ＰＣＴ国際公報で公布されているＷＯ０３／０１５６６９号は、調節式眼内レンズ（以後ＡＩＯＬ）アッセンブリを図示し説明しており、その内容を参考文献としてここに援用する。ＡＩＯＬアッセンブリは、ヒトの目の環状毛様体溝内の少なくとも２つの間隔を空けて配置された静止錨着点にしっかりと固定されるようになっているハプティックシステムを含んでいるので、ハプティックシステムは、ジオプトリ強度が常時変化するＡＩＯＬに対する基準面として働き、ジオプトリ強度は、ＡＩＯＬに対して後方から括約筋様の毛様体の制御の下に作用するヒトの目の水晶体包隔膜による影響を受ける。ＷＯ０３／０１５６６９号の図１と図２は、ヒトの目の天然の水晶体を複製するように設計されているＡＩＯＬアッセンブリ２を示している。ＡＩＯＬアッセンブリ２は、剛性のある材料で作られたレンズ６と、自然な球形のシリコンボール１０を有しており、両方共、屈折率は水より大きい。ヒトの目の毛様体が弛緩すると、ヒトの目の水晶体包隔膜は、後方からシリコンボール１０を直接押して、圧縮された平らな形に弾性変形させ、ヒトの目の天然の水晶体と同様の様式で、遠くを視るため自然の正のジオプトリ強度を下げる。しかしながら、ヒトの目、特に年配のヒトの目は弱いので、その様なシリコンボール本来の、自然の形状を保持しようとする傾向を抑えるほどの力を掛けることができず、巧く調節できない。
【０００３】
代表的なＡＩＯＬは、Tennantへの米国特許第４，２５４，５０９号、Levyへの米国特許第４，４０９，６９１号、Hornらへの米国特許第４，８８８，０１２号、Turleyへの米国特許第４，８９２，５４３号、Christieらへの米国特許第４，９３２，９６６号、Cummingへの米国特許第５，４７６，５１４号、Skottunへの米国特許第５，４８９，３０２号、Cummingへの米国特許第５，４９６，３６６号、Klaasへの米国特許第５，５２２，８９１号、Cummingへの米国特許第５，６７４，２８２号、Skottunへの米国特許第６，１１７，１７１号、Cummingへの米国特許第６，１９７，０５９号、Woodsへの米国特許第６，２９９，６４１号、Cummingらへの米国特許第６，３４２，０７３号、Cummingへの米国特許第６，３８７，１２６号、Laguetteらへの米国特許第６，４０６，４９４号、Sarfaraziへの米国特許第６，４２３，０９４号、Woodsへの米国特許第６，４４３，９８５号、Skottonへの米国特許第６，４６４，７２５号、Cummingへの米国特許第６，４９４，９１１号、Langらへの米国特許第６，５０３，２７６号、Cummingへの米国特許第６，６３８，３０６号、Preussnerへの米国特許第６，６４５，２４５号、及びEschへの米国特許出願第ＵＳ２００４／０１６９８１６号に図示され、記載されている。
【特許文献１】米国特許第４，２５４，５０９号
【特許文献２】米国特許第４，４０９，６９１号
【特許文献３】米国特許第４，８８８，０１２号
【特許文献４】米国特許第４，８９２，５４３号
【特許文献５】米国特許第４，９３２，９６６号
【特許文献６】米国特許第５，４７６，５１４号
【特許文献７】米国特許第５，４８９，３０２号
【特許文献８】米国特許第５，４９６，３６６号
【特許文献９】米国特許第５，５２２，８９１号
【特許文献１０】米国特許第５，６７４，２８２号
【特許文献１１】米国特許第６，１１７，１７１号
【特許文献１２】米国特許第６，１９７，０５９号
【特許文献１３】米国特許第６，２９９，６４１号
【特許文献１４】米国特許第６，３４２，０７３号
【特許文献１５】米国特許第６，３８７，１２６号
【特許文献１６】米国特許第６，４０６，４９４号
【特許文献１７】米国特許第６，４６４，７２５号
【特許文献１８】米国特許第６，４２３，０９４号
【特許文献１９】米国特許第６，４４３，９８５号
【特許文献２０】米国特許第６，４６４，７２５号
【特許文献２１】米国特許第６，４９４，９１１号
【特許文献２２】米国特許第６，５０３，２７６号
【特許文献２３】米国特許第６，６３８，３０６号
【特許文献２４】米国特許第６，６４５，２４５号
【特許文献２５】米国特許出願第２００４／０１６９８１６号
【発明の開示】
【課題を解決するための手段】
【０００４】
本発明は、弾性変形可能な形状記憶光学要素を弾性変形させ、ＡＩＯＬが近くを視るための自然の正のジオプトリ強度を持てるようにするための付勢機構を含んでいる新しいＡＩＯＬのためのものである。付勢機構は、ヒトの目の毛様体が弛緩すると、光学要素をその自然の形状に戻して、遠くを視るためＡＩＯＬの自然の正のジオプトリ強度を下げることができるように、変形力ＦＢＭを、その下側では、光学要素を変形させるのに必要な最小変形力ＦＯＥより僅かに大きくなり、その上側では、変形力ＦＯＥとヒトの水晶体包隔膜によって加えられる調節力ＦＣＤの合計となる範囲で前方向に加えるように設計されている。本発明のＡＩＯＬの光学要素に作用する力は、数学的にＦＯＥ＋ＦＣＤ＞ＦＢＭ＞ＦＯＥと表すことができる。本発明のＡＩＯＬは、この装置によって、健康な目の調節力より相当に小さい調節力ＦＣＤを加えることができる年寄りの目の場合でも、調節し易くしている。
【０００５】
ＡＩＯＬは、少なくとも２つの間隔を空けて配置されている静止錨着点で、ヒトの目の毛様体溝内に自己錨着移植させるためのものであるＡＩＯＬアッセンブリの一部を形成している。ＡＩＯＬは、一般的には視野を正確に補正できるようにし、具体的には水晶体包の収縮を補うために、現場でヒトの目の視軸に沿ってＡＩＯＬを変位させることのできる別体のハプティックシステムに取り付けることができる。代わりに、ＡＩＯＬは、同じく現場でＡＩＯＬを変位させることのできる、塑性変形可能なハプティックを含んでいるハプティックシステムと一体形成してもよい。共同所有されているＰＣＴ国際出願ＰＣＴ／ＩＬ２００５／０００４５６号「調節式眼内レンズアッセンブリと調節測定移植」は、共に現場でＡＩＯＬを変位させることのできる、上記の様な別体のハプティックシステムと、塑性変形可能なハプティックを有し、ＡＩＯＬと一体形成されているハプティックシステムを含む一体構造とについて示し、説明しており、その内容を参考文献としてここに援用する。
【発明を実施するための最良の形態】
【０００６】
本発明を理解し、実際にどの様に実行されるかを見るために、好適な実施形態を、非限定的な単なる例として、添付図面と関連付けて説明するが、図中、同様の部分には同じ参照番号を付している。
【０００７】
図１と図２は、それぞれ、自然に近くを視ている状態と遠くを視ている状態の、視軸ＶＡを有するヒトの目１０の前部の、ヒトの身体の軸方向平面における断面図である。ヒトの目１０は、環状の強膜−角膜接合部１３で、強膜１２として知られている強靭な接続組織で作られた球状の外側体に、外周が接続されている角膜１１を有している。虹彩１４は、強膜−角膜接合部１３の根本１６からヒトの目１０へと内向きに伸張して、ヒトの目の前方部分を、前眼房１７と後眼房１８に分割している。毛様体１９として知られている括約筋様の周辺構造は、副交感神経によって刺激される毛様体筋２１を収容する毛様体突起を含んでいる。毛様体筋２１は、小帯線維２２に接続されており、小帯線維は、水晶体包２３として知られている膜の赤道縁外周に接続されており、前部水晶体包２４と後部水晶体包２６が自然の水晶体２７を覆っている。虹彩の根本１６と毛様体１９は、強膜１２の内側表面の一部分の、毛様体溝２８として知られている強膜−角膜接合部１３における範囲を定める。自然水晶体２７を取り出した後に残る前部水晶体包２４と、完全な後部水晶体包２６を、以後水晶体包膜２９と呼ぶ。毛様体１９が収縮すると、レンズ２７は視軸ＶＡに沿ってその自然の厚さＴ１まで厚くなり、近くを視るため正の光学倍率が大きくなる（図１参照）。毛様体１９が弛緩すると、小帯線維２２が引っ張られ、小帯線維２２は、水晶体包２３を、矢印Ａで示しているように半径方向外向きに引き、レンズ２７を圧縮して視軸ＶＡに沿うその厚さをＴ２＜Ｔ１まで薄くし、遠くを視るため正の光学倍率が小さくなる（図２参照）。
【０００８】
図３は、ヒトの目の毛様体溝２８内に自己錨着移植して、ヒトの視界の公称範囲に亘って眼鏡無しで見えるようにするためのＡＩＯＬアッセンブリ３１を示している。ＡＩＯＬアッセンブリ３１は、中に別体のＡＩＯＬ３３を選択的に保持するための別体のハプティックシステム３２を含んでいる。ハプティックシステム３２は、ＰＭＭＡなどの様な適した生体適合性材料で作られている。ハプティックシステム３２は、長手方向軸が３６で軸方向長さがＬ１である管状の本体３４と（図６参照）、そこから、ハプティックシステム３２の正面図で見て互いに反対方向に接線方向に伸張している一対の直径方向反対向きのハプティック３７を含んでいる。ハプティック３７は、一対の、平行で互いに反対側の取り付けプレート３８を有しており、取り付けプレートには、ヒトの目の強膜１２の頑丈な接続組織内に力を掛けて突き刺せるだけの強度を有している、先の尖った突き刺し部３９が設けられている。突き刺し部３９は、約１ｍｍの強膜の厚さの半分を僅かに越える深さまで突き刺せる寸法に作られるのが望ましい。ハプティックシステム３２に関する更なる詳細は、全体的には先に述べたＰＣＴ国際出願第ＰＣＴ／ＩＬ２００５／０００４５６号に、特に図３−５に示され、記載されている。
【０００９】
図４は、ヒトの目の毛様体溝２８内に自己錨着移植して、ヒトの視界の公称範囲に亘って眼鏡無しで見えるようにするためのＡＩＯＬアッセンブリ４１を示している。ＡＩＯＬアッセンブリ４１は、構造と作用は別体のＡＩＯＬ３３と同様のＡＩＯＬ４３と一体に形成されているハプティックシステム４２を含んでいる。ハプティックシステム４２は、ハプティックシステム３２と構造は同様であるが、赤外線（ＩＲ）感応型インドシアニングリーン（ＩＣＧ）などの照射感応型生体適合性化学薬品が浸み込んでいる領域４６を有する、塑性変形させることのできるハプティック４４を含んでおり、いわゆるガラス転移温度に加熱すると、ハプティック４４を塑性変形させることができるようになっている点で異なっている。ハプティックシステム４２に関する更なる詳細は、全体的には先に述べたＰＣＴ国際出願第ＰＣＴ／ＩＬ２００５／０００４５６号に、特に図１２−１６に示され、記載されている。
【００１０】
図５−７は、ＰＭＭＡなどの様な適した剛性のある生体適合性材料で作られており、長手方向軸５２に沿う軸方向長さＬ２、前面５３、本体３４内にしっかりと固定するための大径前方部５６と小径後方部５７を有する段付き外側面５４、正真円筒形内側面５８、及び、穴６２を画定する環状フランジ６１を備えて形成されている後面５９、を有するカップ型のケーシング５１を含むＡＩＯＬ３３を示している。ケーシングの軸方向長さＬ２は本体の軸方向長さＬ１より長く、本体３４が、本体の軸方向長さＬ１より長い調節ストロークに沿ってケーシング５１に接触できるようになっている。前方部５６には、３つの周辺に配置されている長手方向に向いた溝６３が形成されており、前面５３には切除部６４が形成されている。ケーシング５１は、屈折率が水よりも大きいポリマーゲル、ヒドロゲルなどの様な、適した弾性変形可能な生体適合性材料で作られている自然な円板状の光学要素６６を有している。適したポリマーゲルには、米国のNuSilテクノロジーＬＬＣ（
1175476017703_0
）から市販されているシリコンゲルが含まれる。光学要素６６は、最小の変形力ＦＯＥが加えられると、その長手方向軸に沿って、弾性変形し始める。
【００１１】
剛性のある支持体６７は、ケーシング５１に外側から滑動的に取り付けられており、穴６９と、それぞれ穴７３が設けられている自由端７２を有する３つの長手方向に向いた柱７１とを備えて形成されている環状ベースプレート６８、及び、穴７３にスナップ嵌めするための３つの等間隔に配置され半径方向に向いている突起７８を備えて形成されている前方部７６と後方部７７を有するアパーチャレンズ７４を含んでいる。ベースプレート６８は、ＰＭＭＡなどの様な適した剛性のある生体適合性材料で形成されているのが望ましい。アパーチャレンズ７４は、ＰＭＭＡなどの様な適した剛性のある生体適合性材料で形成されているのが望ましい。アパーチャレンズ７４は、基本的な視野補正のために、十分な正のジオプトリ強度、具体的には約＋１０から約＋３０の間の範囲のジオプトリ強度を有しているのが望ましい。柱７１は、滑動して溝６３にはまり込み、アパーチャレンズ７４が前面５３の横になり、ベースプレート６８が後面５９の横にくるようになる。支持体６７は、ベースプレート６８が後面５９に隣接する第１最端位置と、ベースプレート６８が第１最端位置に比べて後面５９から離れている第２最端位置との間でストロークＳを往復運動する。圧縮ばねによって構成されている付勢機構７９は、支持体６７を、その第２最端位置に押しやるために、後部５７と壁体７１の間に配置されている。付勢機構７９は、光学要素６６を変形させるためにＦＢＭ＝ＦＯＥ＋Δである変形力ＦＢＭを加えて、穴６２を通して膨らませ、ＡＩＯＬ３３に近くを視るための高い正のジオプトリ強度を与える（図６参照）。付勢機構７９は、毛様体１９が弛緩すると、ベースプレート６８に対して前向きに加えられる調節力ＦＣＤが、ＦＯＥ＋ＦＣＤ＞ＦＢＭの条件を満たし、支持体６７がその第１最端位置を取り、光学要素６６をその自然な円板様形状に戻して、遠くを視るためにＡＩＯＬの自然の正のジオプトリ強度を小さくするように設計されている（図７参照）。
【００１２】
図８と図９は、ＡＩＯＬアッセンブリ３１が、ヒトの目の毛様体溝内の、周辺に配置された静止錨着点ＡＰに、それぞれ近くを視る状態と遠くを視る状態で自己錨着している様子を示している。ＡＩＯＬアッセンブリ３１は、ヒトの目の毛様体１９が収縮した状態では、水晶体包隔膜２９がベースプレート６８に軽く当たり、弛緩すると、水晶体包隔膜２９がＡＩＯＬ３３を、近くを視る状態から遠くを視る状態に押すように、ヒトの目１０の中に移植される。
【００１３】
以上、本発明を、限定された数の実施形態について説明してきたが、特許請求の範囲内で、本発明に多くの変更、修正及びこの他の応用が施せるものと理解頂きたい。例えば、付勢機構７９は、長手方向に圧縮可能な可撓性要素８１（図１０参照）、板ばね８２（図１１参照）などによって実施することもできる。更に、基本的な視野補正は、アパーチャレンズではなく円形のベースプレートによって行うこともできる。更に、支持体は、糊付け、溶接などの様な非機械的技法を使って組み立てることもできる。
【図面の簡単な説明】
【００１４】
【図１】自然な近くを視ている状態にあるヒトの目の前方部分の、人体の軸方向平面における断面図である。
【図２】自然な遠くを視ている状態にあるヒトの目の前方部分の、人体の軸方向平面における断面図である。
【図３】本発明による第１の好適な実施形態のＡＩＯＬを含んでいる２構成要素のＡＩＯＬアッセンブリの分解斜視図である。
【図４】本発明による第１の好適な実施形態のＡＩＯＬにより一体に形成されている一体型ＡＩＯＬアッセンブリの斜視図である。
【図５】図３のＡＩＯＬの分解図である。
【図６】近くを視ている状態にある、図３のＡＩＯＬの長手方向断面図である。
【図７】遠くを視ている状態にある、図３のＡＩＯＬの長手方向断面図である。
【図８】近くを視ている状態にある、図３のＡＩＯＬが移植されているヒトの目の前方部分の、人体の軸方向平面における断面図である。
【図９】遠くを視ている状態にある、図３のＡＩＯＬが移植されているヒトの目の前方部分の、人体の軸方向平面における断面図である。
【図１０】本発明による第２の好適な実施形態のＡＩＯＬの斜視図である。
【図１１】本発明による第３の好適な実施形態のＡＩＯＬの斜視図である。
【図１】
2008515585.tif 000003
【図２】
2008515585.tif 000004
【図３】
2008515585.tif 000005
【図４】
2008515585.tif 000006
【図５】
2008515585.tif 000007
【図６】
2008515585.tif 000008
【図７】
2008515585.tif 000009
【図８】
2008515585.tif 000010
【図９】
2008515585.tif 000011
【図１０】
2008515585.tif 000012
【図１１】
2008515585.tif 000013
【手続補正書】
【提出日】平成18年4月17日(2006.4.17)
【手続補正１】
【補正対象書類名】特許請求の範囲
【補正対象項目名】全文
【補正方法】変更
【補正の内容】
【特許請求の範囲】
【請求項１】
調節式眼内レンズ（ＡＩＯＬ）において、
（ａ）前面、穴付き後面、及び少なくとも１つの弾性変形可能な形状記憶光学要素を有しているカップ型のケーシングと、
（ｂ）ベースプレートとアパーチャレンズを有している保持体であって、前記ケーシングに、前記ベースプレートが前記後面の横にくるように滑動的に取り付けられ、前記ベースプレートが前記後面に隣接する第１最端位置と、前記ベースプレートが前記第１最端位置に比べて前記後面から離れている第２最端位置との間で往復運動するようになっている、保持体と、
（ｃ）前記保持体を、前記ケーシングに対して、前記第２最端位置に向けて押し、前記少なくとも１つの形状記憶光学要素を変形させて、少なくとも部分的には前記穴を通して膨らませ、ＡＩＯＬに、近くを視るための自然の正のジオプトリ強度を与えるようにするための付勢機構と、を備えており、
前記保持体は、外部の力が前記押す方向と反対向きに前記ベースプレートに加わると、前記第１最端位置に動かされ、前記少なくとも１つの形状記憶光学要素は、その自然な形状に戻り、遠くを視るためにＡＩＯＬの自然な正のジオプトリ強度を小さくすることができる、ＡＩＯＬ。
【請求項２】
前記付勢機構は、前記後面と前記ベースプレートの間に配置されている、請求項１に記載のＡＩＯＬ。
【請求項３】
前記付勢機構は圧縮ばねである、請求項２に記載のＡＩＯＬ。
【請求項４】
前記アパーチャレンズは、基本的な視野補正のために、約＋１０から約＋３０の範囲のジオプトリ強度を有している、請求項１から３の何れかに記載のＡＩＯＬ。
【請求項５】
前記ベースプレートは環状である、請求項１から４の何れかに記載のＡＩＯＬ。
【請求項６】
前記アパーチャレンズは、前記前面の横にある、請求項１から５の何れかに記載のＡＩＯＬ。
【請求項７】
前記保持体は、前記ケーシングの外側に取り付けられている、請求項１から６の何れかに記載のＡＩＯＬ。
【請求項８】
前記少なくとも１つの形状記憶光学要素は、自然な円板様形状を有している、請求項１から７の何れかに記載のＡＩＯＬ。
【請求項９】
視軸と、強靭な接続組織の強膜と、環状の毛様体溝と、収縮している毛様体状態から弛緩している毛様体状態に弛緩すると、水晶体包隔膜を前記視軸に沿って前向きに引っ張るための括約筋様の毛様体と、を有するヒトの目の中に移植するための調節式眼内レンズ（ＡＩＯＬ）アッセンブリにおいて、
（ａ）前記ヒトの目の視軸と同方向に展開させるようになっている長手方向軸と、本体からハプティックシステムの長手方向軸に垂直な面内を伸張する少なくとも２つのハプティックを有する本体と、を有しているハプティックシステムであって、各ハプティックは、前記ヒトの目の強膜の前記強靭な接続組織に突き刺して、前記ＡＩＯＬアッセンブリを、前記ヒトの目の毛様体溝内の少なくとも２つの間隔を空けて配置された静止錨着点に自己錨着させるための少なくとも１つの先の尖った突き刺し部を有している、ハプティックシステムと、
（ｂ）前記ヒトの目の水晶体包隔膜は、その前記毛様体が弛緩すると、前記外部の力を前記ベースプレートに加える、請求項１から８の何れかに記載のＡＩＯＬと、を備えているＡＩＯＬアッセンブリ。
【請求項１０】
前記ハプティックシステムは、別体のＡＩＯＬを中に選択的に保持するための別体の構成要素である、請求項９に記載のＡＩＯＬアッセンブリ。
【請求項１１】
前記ＡＩＯＬは、長手方向軸に沿う軸方向長さがＬ１である本体を有しており、前記ＡＩＯＬのケーシングは、長手方向軸に沿う軸方向長さがＬ２であり、Ｌ２＞Ｌ１で、前記本体が、前記ＡＩＯＬのケーシングを、前記本体の軸方向長さより長い調節ストロークに沿ってクランプできるようになっている、請求項１０に記載のＡＩＯＬアッセンブリ。
【請求項１２】
前記ハプティックシステムは、前記ＡＩＯＬと一体に形成されており、前記少なくとも２つのハプティックは、それぞれ、現場で、前記ＡＩＯＬを、前記ヒトの目の視軸に沿い前記少なくとも２つの静止錨着点に対して、選択的に手動で変位させることができるように、塑性変形させることのできる照射感応領域を有している、請求項９に記載のＡＩＯＬアッセンブリ。
【請求項１３】
前記照射感応領域は、前記ＡＩＯＬに隣接しており、前記それぞれの尖った突き刺し部からは離れている、請求項１２に記載のＡＩＯＬアッセンブリ。
【請求項１４】
前記各ハプティックは、前記ハプティックシステムの長手方向軸に垂直な面内では薄い輪郭を有しているので、前記各ハプティックは、前記ハプティックシステムの長手方向軸に垂直な面内で、前記本体の回りに巻き付けることができるほど十分に柔軟性があり、
前記ハプティックシステムの長手方向軸に沿っては幅広の外形を有しているので、それに沿って加えられる圧縮力に対して前記各ハプティックは剛性を有している、請求項９から１３の何れかに記載のＡＩＯＬアッセンブリ。
【請求項１５】
前記幅広の外形は、前記本体に隣接するハプティックの近位端から、そこから離れているその遠位端に向かって幅狭になっている、請求項１４に記載のＡＩＯＬアッセンブリ。
【国際調査報告】
2008515585.tif 000014
2008515585.tif 000015
2008515585.tif 000016